(57)【要約】【課題】上扉体で洗浄槽の開口部を確実にシールすることができる食器洗い機を提供する。【解決手段】上扉体６と下扉体７が洗浄槽２の前下方へ、かつ双方の内面側を上向きにして重ね合わせるように開放するとともに、上扉体６を閉塞方向に引き込む上扉引き込み部材３３を備えたもので、上扉体６を閉塞方向に引き込んで、上扉体６の自重や各連結部のクリアランスによる閉成時の上扉体６の上辺の開放方向への位置ずれをなくし、上扉体６と開口部５に設けたシール部材８との圧接を適正にし、確実なシールを実現できる。【選択図】図１
2008200243.tif 000002
【特許請求の範囲】
【請求項１】
洗浄槽を内設した本体と、前記洗浄槽の前面に設けた開口部を開閉自在に覆う上扉体と下扉体と、前記洗浄槽の側壁に回転自在に軸支されるとともに、前記上扉体と前記下扉体のそれぞれを支持する上扉支持部材と下扉支持部材と、前記上扉支持部材と前記下扉支持部材を連動する連動部材と、前記下扉体を前記開口部に前記開口部を閉成した状態に保持するロック手段とを備え、前記上扉体と前記下扉体が前記洗浄槽の前下方へ、かつ双方の内面側を上向きにして重ね合わせるように開放する構成とするとともに、前記上扉体を閉塞方向に引き込む上扉閉塞引込み手段を備えた食器洗い機。
【請求項２】
上扉閉塞引込み手段で、上扉体を所定開放位置から閉成位置にかけて引き込むようにした請求項１に記載の食器洗い機。
【発明の詳細な説明】
【技術分野】
【０００１】
本発明は、食器等を洗浄する食器洗い機に関するもので、特に、食器洗い機の扉開閉機構に関するものである。
【背景技術】
【０００２】
従来のこの種の食器洗い機は、図９〜１２に示すように構成されていた（例えば、特許文献１参照）。
【０００３】
図９は、上記特許文献１に記載された従来の食器洗い機の側断面図、図１０は、同食器洗い機の扉体閉成時の側断面図、図１１は、同食器洗い機の扉体開放初期の側壁部断面図、図１２は、同食器洗い機の扉体開成時の側壁部断面図である。
【０００４】
図９〜１２において、従来の食器洗い機は、食器等の被洗浄物１０１を洗浄槽１０２に収納し、洗浄槽１０２に設けた前面開口部１０３を、上扉体１０４と下扉体１０５により閉塞してから、洗浄ポンプ１０６を運転し、洗浄水を噴射することにより、被洗浄物１０１の洗浄およびすすぎ工程を行うようになっている。下扉体１０５は、下扉支持部材１０７により、前面開口部１０３の前下方に、その内面が上向き略水平となる位置まで回転開成できる構成となっており、下扉体１０５の内面に食器かご１０８を引き出せる構成となっている。
【０００５】
一方上扉体１０４は、第１の上扉支持部材１０９と第２の上扉支持部材１１０により、本体１１１の上方空間に開閉する構成となっている。
【０００６】
また、下扉支持部材１０７と第１の上扉支持部材１０９は連動部１１２により連結されており、下扉体１０５を開閉すると、上扉体１０４も連動して開閉するため、１回の開閉操作で前面開口部１０３を開閉できることから、使い勝手のよい食器洗い機を実現している。
【０００７】
さらに、第１の上扉支持部材１０９と連動部１１２の連結部は、第１の上扉支持部材１０９に設けた円筒連結軸１１３と連動部１１２に設けた長穴部１１４によりあそびを有するよう構成されており、上扉体１０４が閉成状態に達してから、下扉体１０５のみ動作させて、下扉体１０５に設けたロック手段１１５を、洗浄槽１０２の側壁にロックさせることで、上扉体１０４と下扉体１０５の閉塞を実現している。
【０００８】
その結果、上扉体１０４に取り付けた扉体間シール部材１１６を、下扉体１０５に設けた扉体間シール受け１１７によってシールすることが可能となり、水漏れを防止できる。
【０００９】
しかしながら、上記特許文献１に記載された食器洗い機の構成では、上扉体１０４が上方に開放するようになっているので、食器洗い機本体上方に上扉体１０４の開放空間を必要とし、設置性が悪く、また、前面開口部１０３上部に、上扉体１０４が被さってくるため、被洗浄物１０１の出し入れが面倒になるという問題があった。
【００１０】
このような問題を解決するために、上扉体と下扉体を重ねるようにして洗浄槽の手前下方に開放するようにしたものがある（例えば、特許文献２参照）。
【００１１】
図１３は、上記特許文献２に記載された従来の食器洗い機の扉体閉成時の側壁部断面図、図１４は、同食器洗い機の扉体開成時の側断面図である。
【００１２】
図１３、１４において、同食器洗い機は、上扉体１１８と下扉体１１９が、上扉支持部材１２０と下扉支持部材１２１によって、それぞれ洗浄槽１２２の前面開口部１２３の前下方に、その内面が上向き略水平となる位置まで回転開成できる構成となっており、しかも上扉体１１８と下扉体１１９が重ね合わさるように開成する。
【００１３】
食器かご１２４は、上扉体１１８の内面に引き出す構成となっている。
【００１４】
この食器洗い機は、上記のように、上扉体１１８と下扉体１１９が、前面開口部１２３の前下方に重ね合わさるよう開閉するので、上扉体１１８が上方に開放するものと比べて、食器洗い機本体上方に上扉体１１８の開放空間を必要とせず、設置性、使用勝手ともに優れたものである。また食器洗い機本体の上面を物置スペースとして活用できるので使い勝手がよい。さらに、前面開口部１２３上部に、上扉体１１８が被さってこないので、食器等の被洗浄物１２５の出し入れ等にも支障がなく使い勝手がよい。
【００１５】
また、上扉支持部材１２０と下扉支持部材１２１は連動部１２６により連結されており、下扉体１１９を開閉すると、上扉体１１８も連動して開閉するため、１回の開閉操作で前面開口部１２３を開閉できることから、使い勝手のよい食器洗い機を実現している。さらに、上扉支持部材１２０と連動部１２６の連結部は、上扉支持部材１２０に設けた円筒連結軸１２７と連動部１２６に設けた長穴部１２８によりあそびを有するよう構成されており、上扉体１１８が閉成状態に達してから、下扉体１１９のみ動作させて、下扉体１１９に設けたロック手段１２９を洗浄槽１２２の側壁にロックさせることで、上扉体１１８、下扉体１１９の閉塞を実現している。その結果、上扉体１１８に取り付けた扉体間シール部材１３０を、下扉体１１９に設けた扉体間シール受け１３１によってシールすることが可能となり、水漏れを防止できる。
【特許文献１】特開２００２−２１９０８３号公報
【特許文献２】特開２００２−１０９６１号公報
【発明の開示】
【発明が解決しようとする課題】
【００１６】
しかしながら、上記特許文献２に記載された従来の食器洗い機の構成では、上扉体１１８の回転中心１３２から上扉体１１８の上辺迄の距離Ｌが長いため、回転中心１３２や長穴部１２８に設けたクリアランスによる上扉体１１８の上辺のがたつきが大きく、且つ上扉体１１８には、常に自重による開放方向への力が作用していることにより、閉成時の上扉体１１８の上辺位置は、正規閉成位置より開放側に位置しやすく不安定であり、前面開口部１２３の上辺に設けたシール部材１３３と、上扉体１１８のシールが不安定になるという課題を有していた。
【００１７】
本発明は、上記従来の課題を解決するもので、上扉体の洗浄槽の前面の開口部に対するシールが安定した高品質な食器洗い機を提供することを目的とする。
【課題を解決するための手段】
【００１８】
前記従来の課題を解決するために、本発明の食器洗い機は、洗浄槽を内設した本体と、前記洗浄槽の前面に設けた開口部を開閉自在に覆う上扉体と下扉体と、前記洗浄槽の側壁に回転自在に軸支されるとともに、前記上扉体と前記下扉体のそれぞれを支持する上扉支持部材と下扉支持部材と、前記上扉支持部材と前記下扉支持部材を連動する連動部材と、前記下扉体を前記開口部に前記開口部を閉成した状態に保持するロック手段とを備え、前記上扉体と前記下扉体が前記洗浄槽の前下方へ、かつ双方の内面側を上向きにして重ね合わせるように開放する構成とするとともに、前記上扉体を閉塞方向に引き込む上扉閉塞引込み手段を備えたもので、上扉閉塞引込み手段で上扉体を閉塞方向に引き込むことで、上扉体の自重や各連結部のクリアランスによる閉成時の上扉体上辺の開放方向への位置ずれをなくすことができ、それによって、上扉体が、開口部の周囲に設けたシール部材と適正量圧接することができるようになり、確実なシールを実現できる。
【発明の効果】
【００１９】
本発明の食器洗い機は、上扉体の洗浄槽の前面の開口部に対するシールを安定して確保し、食器洗い機の品質を向上させることができる。
【発明を実施するための最良の形態】
【００２０】
第１の発明は、洗浄槽を内設した本体と、前記洗浄槽の前面に設けた開口部を開閉自在に覆う上扉体と下扉体と、前記洗浄槽の側壁に回転自在に軸支されるとともに、前記上扉体と前記下扉体のそれぞれを支持する上扉支持部材と下扉支持部材と、前記上扉支持部材と前記下扉支持部材を連動する連動部材と、前記下扉体を前記開口部に前記開口部を閉成した状態に保持するロック手段とを備え、前記上扉体と前記下扉体が前記洗浄槽の前下方へ、かつ双方の内面側を上向きにして重ね合わせるように開放する構成とするとともに、前記上扉体を閉塞方向に引き込む上扉閉塞引込み手段を備えたもので、上扉閉塞引込み手段で上扉体を閉塞方向に引き込むことで、上扉体の自重や各連結部のクリアランスによる閉成時の上扉体上辺の開放方向への位置ずれをなくすことができ、それによって、上扉体が、開口部の周囲に設けたシール部材と適正量圧接することができるようになり、確実なシールを実現できる。
【００２１】
第２の発明は、特に、第１の発明の上扉閉塞引込み手段で、上扉体を所定開放位置から閉成位置にかけて引き込むようにしたもので、上扉体が、開口部の周囲に設けたシール部材から反発力を受け、上扉体を正規位置に閉成させるのに大きな閉塞力が必要な上扉体の閉成近傍から閉成にかけてのみ閉塞力を作用させるので、開閉動作中、常時閉塞力を加える場合と比べて、効果的に上扉体を正規閉成位置まで閉塞させることできる。
【００２２】
以下、本発明の実施の形態について、図面を参照しながら説明する。なお、この実施の形態によって本発明が限定されるものではない。
【００２３】
（実施の形態１）
図１は、本発明の第１の実施の形態における食器洗い機の扉体閉成時の側壁部断面図、図２は、同食器洗い機の扉体開成時の側壁部断面図、図３は、同食器洗い機の扉体開放初期の側壁部断面図、図４は、同食器洗い機の扉体開放途中の側壁部断面図、図５は、同食器洗い機の扉体開成時の斜視図、図６は、同食器洗い機の上扉閉成位置規制手段の動作説明図、図７は、同食器洗い機の第２の連結点の動作説明図、図８は、同食器洗い機の上扉引き込み部材の動作説明図である。
【００２４】
本実施の形態における食器洗い機の本体１内部には、洗浄槽２が設けられており、洗浄槽２の内部には、食器などの被洗浄物３をセットする食器かご４が収納されている。洗浄槽２の前面には開口部５が設けられており、開口部５の上部、下部の夫々を上扉体６と下扉体７により開閉するよう構成されている。開口部５の周囲には、シール部材８が取付けられており、上扉体６に設けた上扉体シール受け６ａと、下扉体７に設けた下扉体シール受け７ａとによって、開口部５のシールを構成している。上扉体６には扉体間シール部材９が取付けられており、下扉体７に設けた扉体間シール受け７ｂとによって、上・下扉体６、７間のシールを構成している。
【００２５】
上扉体６は、洗浄槽２の側壁に設けた第１の支持軸１０により回転自在に軸支された上扉支持部材１１に固定されている。洗浄槽２の側壁には、上扉支持部材１１と当接する第１のストッパー部１２が設けられており、上扉体６が、開口部５の前下方にその内面が上向き略水平となる位置まで開成するよう構成されている。
【００２６】
下扉体７は、洗浄槽２側壁の開口部５下端部近傍で第２の支持軸１３により回転自在に軸支された下扉支持部材１４に固定されている。洗浄槽２の側壁には、開成時に下扉支持部材１４と当接する第２のストッパー部１５が設けられており、下扉体７が、開口部５の前下方にその内面が上向き略水平となる位置まで開成するよう構成されている。なお、下扉体７の開成位置は上扉体６の開成位置の下方に位置するよう構成されている。
【００２７】
下扉体７には、押しボタンスイッチ１６と、洗浄槽２側壁に設けた係止部１７に係止して、下扉体７を開口部５を閉成した状態で固定するロック手段１８が設けられており、押しボタンスイッチ１６と連動して、係止部１７からロック手段１８を解除できるようにしている。
【００２８】
また、一端が第１の連結点１９で下扉支持部材１４と回転自在に連結され、他端が第２の連結点２０で上扉支持部材１１と回転自在に連結された連動部材２１により、上扉体６と下扉体７は連動して開口部５の前下方に重ね合わせるように開閉する構成となっている。また、第２の連結点２０は、連動部材２１に設けた円筒連結軸２０ａと、上扉支持部材１１に設けた長穴部２０ｂにより構成されており、閉成状態の上扉体６に対して、下扉体７が開放する方向にあそびを有している。
【００２９】
連動部材２１には、ガイド穴部２２が、上扉支持部材１１には、ガイド穴部２２内を移動するガイド突起部２３が設けられており、上扉体６と下扉体７の閉成状態から開成状態にかけて係合するよう構成されている。また、ガイド穴部２２は、上扉体６が閉成状態では、第２の連結点２０があそびを有するようガイド突起部２３の所定動作領域を有し、開放途中から開成状態にかけては、第２の連結点２０のあそびを無くするよう、ガイド突起部２３の動作を規制する形状となっている。
【００３０】
洗浄槽２の側壁に設けた第３の支持軸２４により、回動自在に軸支された規制部材２５は、上扉体６と下扉体７の閉成時に、上扉体６の開放方向への動作を規制するように上扉体６に設けた上扉規制部２６と当接する第１の当接部２７と、下扉体７が所定開放位置から閉成するまでの間、上扉規制部２６と第１の当接部２７を当接させる方向へ規制部材２５を回動させるように連動部材２１に設けた連動規制部２８と当接する第２の当接部２９を有し、自重で上扉規制部２６との当接が解除される方向に回転するような形状となっている。また、洗浄槽２の側壁には、第３のストッパー部３０が設けられており、上扉体６と下扉体７が所定開放位置より開放側へ位置した時に、連動規制部２８と第２の当接部２９との当接が解除されるよう規制部材２５の回動を止める働きをしている。
【００３１】
洗浄槽２の側壁には、第１のガイドピン３１と第２のガイドピン３２が設けられており、上扉閉塞引込み手段である上扉引き込み部材３３に形成された第１のガイドレール３４（逆Ｌ字形状）と、第２のガイドレール３５（ストレート形状）がそれぞれ摺動自在に係合している。
【００３２】
また、上扉引き込み部材３３には、上扉体６と下扉体７の閉成状態から、上扉体６と下扉体７が所定量開放するまで、上扉支持部材１１に設けた上扉引き込みピン３６と当接する上扉引き込み突起部３７と、上扉体６と下扉体７開成状態から、上扉体６と下扉体７を所定量閉塞した時に、上扉引き込みピン３６と当接する上扉引き込みトリガー部３８が形成されている。
【００３３】
また、上扉引き込み部材３３に設けた第１の保持部３９と、洗浄槽２の側壁に設けた第２の保持部４０を第１のスプリング４１（引張りコイルバネ）で連結することで、上扉体６と下扉体７の閉成状態から、上扉体６と下扉体７が所定量開放し上扉引き込みピン３６と上扉引き込み突起部３７の当接が解除されるまで、上扉引き込み部材３３が上扉支持部材１１を上扉体６が閉塞する方向に付勢するよう構成している。
【００３４】
上扉支持部材１１に設けた第３の保持部４２と、洗浄槽２の側壁に設けた第４の保持部４３を第２のスプリング４４（引張りコイルバネ）で連結し、上扉体６を閉塞方向に弾性的に付勢するよう構成している。
【００３５】
さらに、連動部材２１に設けた第５の保持部４５と洗浄槽２の側壁に設けた第６の保持部４６を第３のスプリング４７（引張りコイルバネ）で連結し、閉成状態から開放途中（閉成状態から下扉体７が４５°程度回転）では、上・下扉体６、７が開放する方向に連動部材２１を弾性的に付勢し、開放途中から開成状態にかけては、上・下扉体６、７が閉塞する方向に連動部材２１を弾性的に付勢するよう構成している。
【００３６】
以上のように構成された本実施の形態における食器洗い機についてその動作、作用を説明する。
【００３７】
押しボタンスイッチ１６を押すことで、係止部１７から、ロック手段１８が解除され、第３のスプリング４７によって付勢された連動部材２１が、上・下扉体６、７の開放方向に動作する。連動部材２１が動作することにより、規制部材２５は、第２の当接部２９で連動規制部２８と当接しながら回動する。
【００３８】
第２のスプリング４４の上扉支持部材１１への付勢力と、上扉引き込み部材３３の上扉支持部材１１への上扉引き込み力により、開放初期は下扉体７のみが開放し、上扉体６は閉成位置に留まっているので、規制部材２５の回動動作によって、第１の当接部２７と上扉規制部２６の当接は解除され、上扉体６の閉成位置規制が解除される（図１の状態から図３の状態へ）。
【００３９】
本実施の形態では、第２のスプリング４４と、上扉引き込み部材３３の２つの機構で開放初期に上扉体６を閉成位置に留まらせるよう構成しているが、上扉体６の重量や第２のスプリング４４や上扉引き込み部材３３を組み込む空間の制約条件によっては、どちらか一方の機構だけで、上扉体６を閉成位置に留まらせる構成にすることも可能である。
【００４０】
円筒連結軸２０ａが長穴部２０ｂ内のあそび領域を移動しきると、円筒連結軸２０ａと長穴部２０ｂとが連結され、上扉体６と下扉体７は、連動して動作する。
【００４１】
上・下扉体６、７の開放動作に合わせて、上扉引き込み部材３３は、上方に移動し、上・下扉体６、７が所定量開放すると、第２のガイドレール３５の第２のレール端点３５ａと第２のガイドピン３２が当接する。さらに上・下扉体６、７を開放すると、上扉引き込み部材３３は、第２のガイドピン３２を支点にして、第１のガイドレール３４の第１のガイド端点３４ａと第１のガイドピン３１が当接するまで回動する。
【００４２】
上扉引き込み部材３３が回動することにより、上扉引き込みピン３６と上扉引き込み突起部３７の当接が解除され、上扉引き込み部材３３による、上・下扉体６、７の閉塞方向への付勢がなくなる。
【００４３】
上扉引き込み部材３３は、第１のスプリング４１により下方に付勢されているが、第１のガイドピン３１が、第１のガイドレール３４の上面に突張っているので下方へ移動せず、図２に示すように上方位置に留まる。
【００４４】
上扉引き込み部材３３は、上扉体６がシール部材８から反発力を受け、上扉体６を正規位置に閉成させるのに大きな閉塞力が必要な扉体閉成近傍から閉成にかけてのみ扉体閉塞力を作用させることができるので、第２のスプリング４４のように常に閉成方向への付勢力が働くような構成と比べて効果的に上扉体６を正規閉成位置まで閉塞させることできる。仮に第２のスプリング４４のみにより、上・下扉体６、７の閉成近傍で、所定の閉塞方向への付勢力を働かせようとすると、上・下扉体６、７の開放途中から開成にかけて、第２のスプリング４４による上・下扉体６、７の閉塞方向への付勢力が大きくなりすぎて、上・下扉体６、７を開成するのに非常に大きな開放力が必要になってしまう。
【００４５】
上扉体６と下扉体７は、上扉支持部材１１と下扉支持部材１４が、それぞれ第１のストッパー部１２と第２のストッパー部１５に当接する開成状態まで開放する。この時、上扉体６と下扉体７は、その双方の内面を上向き略水平にして重ね合わさるように開成している（上扉体６が上方に位置する）。
【００４６】
上・下扉体６、７の開成後、上扉体６の内面上に食器かご４を引出し、被洗浄物をセットする。食器かご４を上扉体６内面上に引出す構成をとっているので、食器などの被洗浄物３から垂れた汁、水滴が機外へ流出するのを防止することができる。また、従来の食器洗い機のように、開口部５の上部に上扉体６が被さってこないので、被洗浄物３のセット作業がしやすく、本体１上面を物置スペースとして活用できるので非常に使い勝手がよい。さらには本体１上方に上扉体６の開放空間を必要としないので、製品設置性もよい。
【００４７】
続いて、食器かご４を洗浄槽２内に収納し、下扉体７を閉塞する。上扉体６と下扉体７は、連動して開閉する構成となっているので、上扉体６も同時に閉塞される。第２のスプリング４４による上支持部材１１への、上扉体６の閉塞方向への付勢力と、第３のスプリング４７による連動部材２１への扉体閉塞方向への付勢力により、下扉体７を閉塞する起動力が小さくて良く、操作感が良い。
【００４８】
上・下扉体６、７の閉塞途中において、第２の連結点２０のあそびによる上扉体６のがたつきを、ガイド穴部２２とガイド突起部２３とにより規制しているので、下扉体７に対する上扉体６の位置がぐらつかず安定している。その結果、閉塞動作において、上扉体６外面に下扉体７の内面（防水リブ等）が接触して上扉体６の外観を汚したり傷付けてしまったりすることがない。また、上扉体６を下扉体７に先行して閉成位置に到達させるという所定動作を確実に実現できるため、上扉体６に取り付けた扉体間シール部材９を、下扉体７に設けた扉体間シール受け７ｂによって確実にシールすることができる。
【００４９】
上・下扉体６、７を所定位置まで閉塞すると、上扉引き込みピン３６が、上扉引き込みトリガー部３８と当接し、さらに上・下扉体６、７を閉塞すると、上扉引き込みピン３６から加えられる力で、上扉引き込み部材３３は、第２のガイドピン３２を支点にして第１のガイドピン３１が、第１のガイドレール３４の第３のガイド端点３４ｂと当接するまで回動する。その結果、ガイドピン３１の第１のガイドレール３４の上面へ突張っりもなくなり、第１のスプリング４１の付勢力によって上扉引き込み部材３３は下方に移動して、上扉引き込みピン３６を閉塞方向に引き込むことができる。
【００５０】
上・下扉体６、７を閉塞していくと、所定閉塞位置で、連動規制部２８が第２の当接部２９に当接し、さらに閉塞していくと規制部材２５は、第１の当接部２７が上扉規制部２６に近づいていく方向に回動を始める。引き続き、上・下扉体６、７を閉塞していくと上扉体６が先行して閉成し、その後下扉体７の閉成時には、第１の当接部２７が上扉規制部２６に当接し、上扉体６の閉成位置が規制される。
【００５１】
以上のように、本実施の形態では、規制部材２５、上扉規制部２６、連動規制部２８で、上扉体６の閉成位置を規制する上扉閉成位置規制手段を構成している。
【００５２】
上・下扉体６、７の閉成位置近傍では、シール部材８からの反発力や、被洗浄物３の食器かご４からのはみ出しセットにより、上扉体６は、開放方向への力を受ける。第２のスプリング４４の上・下扉体６、７の閉塞方向への付勢力や、上扉引き込み部材３３の上扉体６を引き込む引き込み力が不十分な場合、上扉体６は、正規位置まで閉成しないで閉塞動作が停止してしまう。しかし、そのような場合、上扉体６が正規閉成位置より前方に位置するので、下扉体７が閉成する前に第１の当接部２７が上扉規制部２６と当接し、その後の下扉体７の閉塞動作に連動して、規制部材２５が上扉規制部２６を、上扉体６の閉塞方向に引き込むので、下扉体７が閉成した時には、上扉体６を正規位置に閉成することができ、安全で確実なシールを実現できる。
【００５３】
また、閉成した上扉体６に外力が加えられても、規制部材２５が、上扉規制部２６の開放方向への動作を規制しているので、開放方向に移動してしまうことはなく、したがって高温の洗浄水が機外へ噴出してしまうようなことは無く、安全性の高い食器洗い機を提供することができる。
【００５４】
なお、上述した上・下扉体６、７の開閉機構は、洗浄槽２、及び上・下扉体６、７の左右両側に設けられている。
【産業上の利用可能性】
【００５５】
以上のように、本発明にかかる食器洗い機は、上扉体の洗浄槽の前面の開口部に対するシールが安定したもので、食器洗い機に限らず複数の扉体を使用する洗濯機、洗浄機など各種機器に適用できる。
【図面の簡単な説明】
【００５６】
【図１】本発明の第１の実施の形態における食器洗い機の扉体閉成時の側壁部断面図
【図２】同食器洗い機の扉体開成時の側壁部断面図
【図３】同食器洗い機の扉体開放初期の側壁部断面図
【図４】同食器洗い機の扉体開放途中の側壁部断面図
【図５】同食器洗い機の扉体開成時の斜視図
【図６】（ａ）同食器洗い機の扉体開放初期の上扉閉成位置規制手段の動作説明図（ｂ）同食器洗い機の上扉不正規閉成時の上扉閉成位置規制手段の動作説明図（ｃ）同食器洗い機の扉体閉成時の上扉閉成位置規制手段の動作説明図
【図７】（ａ）同食器洗い機の扉体閉成時の第２の連結点の動作説明図（ｂ）同食器洗い機の扉体開放初期の第２の連結点の動作説明図（ｃ）同食器洗い機の扉体開放途中の第２の連結点の動作説明図
【図８】（ａ）同食器洗い機の扉体閉成時の上扉閉塞引き込み手段の動作説明図（ｂ）同食器洗い機の扉体開放途中の上扉引き込み部材の動作説明図（ｃ）同食器洗い機の扉体開成時の上扉引き込み部材の動作説明図（ｄ）同食器洗い機の扉体閉塞途中の上扉引き込み部材の動作説明図
【図９】従来の食器洗い機の側断面図
【図１０】同食器洗い機の扉体閉成時の側断面図
【図１１】同食器洗い機の扉体開放初期の側壁部断面図
【図１２】同食器洗い機の扉体開成時の側壁部断面図
【図１３】従来の他の例の食器洗い機の扉体閉成時の側壁部断面図
【図１４】同食器洗い機の扉体開成時の側断面図
【符号の説明】
【００５７】
１  本体
２  洗浄槽
５  開口部
６  上扉体
７  下扉体
１１  上扉支持部材
１４  下扉支持部材
１７  係止部
１８  ロック手段
２１  連動部材
２５  規制部材（上扉閉成位置規制手段）
２６  上扉規制部（上扉閉成位置規制手段）
２８  連動規制部（上扉閉成位置規制手段）
３３  上扉引き込み部材（上扉閉塞引込み手段）
【図１】
2008200243.tif 000003
【図２】
2008200243.tif 000004
【図３】
2008200243.tif 000005
【図４】
2008200243.tif 000006
【図５】
2008200243.tif 000007
【図６】
2008200243.tif 000008
【図７】
2008200243.tif 000009
【図８】
2008200243.tif 000010
【図９】
2008200243.tif 000011
【図１０】
2008200243.tif 000012
【図１１】
2008200243.tif 000013
【図１２】
2008200243.tif 000014
【図１３】
2008200243.tif 000015
【図１４】
2008200243.tif 000016